(57)【特許請求の範囲】
【請求項１】
平らな平状態、及び立体的であり陳列時の状態である陳列状態の間で変形可能な陳列装置であって、
第１壁板、第２壁板、第３壁板と、
前記第１壁板及び前記第２壁板を回転可能に接続する第１壁板−第２壁板ヒンジ部と、
前記第２壁板及び前記第３壁板を回転可能に接続する第２壁板−第３壁板ヒンジ部と、
前記第３壁板及び前記第１壁板を回転可能に接続する第３壁板−第１壁板ヒンジ部と、
前記第３壁板に設けられた第３壁板ヒンジ部と、
前記第２壁板及び前記第３壁板をそれぞれ延長するように、前記第２壁板及び前記第３壁板に２つ折りヒンジ部を介して接続された上第２壁板及び上第３壁板と、
前記上第２壁板及び前記上第３壁板を回転可能に接続する上第２壁板−上第３壁板ヒンジ部と、
前記上第２壁板に設けられた上第２壁板ヒンジ部と、
棚板と、
陳列状態において、前記棚板を支える棚支え部とを備え、
平状態では、
前記第２壁板及び前記第３壁板は、前記第２壁板−第３壁板ヒンジ部と、前記第３壁板ヒンジ部とによって回転することにより、Ｚ折りに折り畳まれた状態であり、
左右方向において、Ｚ折りに折り畳まれた前記第２壁板及び前記第３壁板の全長と、前記第１壁板の長さとが等しく、
前記上第２壁板及び前記上第３壁板は、前記上第２壁板−上第３壁板ヒンジ部と、前記上第２壁板ヒンジ部とによって回転することにより、Ｚ折りに折り畳まれた状態であり、
前記第２壁板及び前記第３壁板と、前記上第２壁板及び前記上第３壁板とは、平状態から前記２つ折りヒンジ部によって２つ折りに折り畳み可能であり、
陳列状態では、
前記第３壁板は、前記第３壁板ヒンジ部によって回転することにより平らに開き、
前記第１壁板、前記第２壁板、前記第３壁板は、鉛直方向から見た状態で三角形の三辺を形成することにより、この陳列装置の三角柱状の壁部を形成すること、
を特徴とする陳列装置。
【請求項２】
請求項１に記載の陳列装置において、
左右方向において、
前記第１壁板の長さをＬ１１、
前記第２壁板の長さをＬ１２、
前記第３壁板のうち第３壁板−第１壁板ヒンジ部及び前記第３壁板ヒンジ部の間の長さをＬ１３ａ、
前記第３壁板のうち前記第３壁板ヒンジ部及び前記第２壁板−第３壁板ヒンジ部の間の長さをＬ１３ｂ、
とした場合に、
Ｌ１１＝Ｌ１２＋Ｌ１３ａ−Ｌ１３ｂが成り立つこと、
を特徴とする陳列装置。
【請求項３】
請求項１又は請求項２に記載の陳列装置において、
前記棚支え部は、前記第２壁板の一部及び前記第３壁板の一部が連続した部分を、内側に突出させた棚受け部を備えること、
を特徴とする陳列装置。
【請求項４】
請求項１から請求項３のいずれかに記載の陳列装置において、
鉛直方向において、前記第２壁板、前記第３壁板、前記上第２壁板、前記上第３壁板の長さは、等しいこと、
を特徴とする陳列装置。
【請求項５】
請求項１から請求項４のいずれかに記載の陳列装置を、鉛直方向に連続するように複数備える連続陳列装置であって、
鉛直方向に隣合う前記陳列装置を２つ折り可能な装置間ヒンジ部を備えること、
を特徴とする連続陳列装置。
【請求項６】
請求項１から請求項４のいずれかに記載の陳列装置に加工される板材であって、
左右方向に連続するように設けられた前記第１壁板、前記第３壁板−第１壁板ヒンジ部、前記第３壁板、前記第２壁板−第３壁板ヒンジ部、前記第２壁板と、
前記第１壁板に前記第１壁板−第２壁板ヒンジ部で接続され前記第２壁板に接着可能、又は前記第２壁板に前記第１壁板−第２壁板ヒンジ部で接続され前記第１壁板に接着可能な接着片とを備えること、
を特徴とする陳列装置の板材。
【請求項７】
請求項１から請求項４のいずれかに記載の陳列装置に加工される板材であって、
左右方向に連続するように設けられた前記第１壁板、前記第１壁板−第２壁板ヒンジ部、前記第２壁板、前記第２壁板−第３壁板ヒンジ部、前記第３壁板と、
前記第１壁板に前記第３壁板−第１壁板ヒンジ部で接続され前記第３壁板に接着可能、又は前記第３壁板に前記第３壁板−第１壁板ヒンジ部で接続され前記第１壁板に接着可能な接着片とを備えること、
を特徴とする陳列装置の板材。
【発明の詳細な説明】
【技術分野】
【０００１】
本発明は、折り畳み可能な陳列装置、連続陳列装置、陳列装置の板材に関するものである。
【背景技術】
【０００２】
従来、輸送時等には折り畳み可能であり、陳列時には組み立て可能な商品陳列台があった（例えば特許文献１）。
しかし、従来の商品陳列台は、組み立て時の外形が四角柱状であった。このため、従来の商品陳列台は、特殊な空間の設置場所（例えば店舗のコーナ部等）に設置するには適さず、設置場所が限定されていた。
【先行技術文献】
【特許文献】
【０００３】
【特許文献１】特開２０１３−１３５９３号公報
【発明の概要】
【発明が解決しようとする課題】
【０００４】
本発明の課題は、設置場所の自由度を向上した陳列装置、連続陳列装置、陳列装置の板材を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、平らな平状態、及び立体的であり陳列時の状態である陳列状態の間で変形可能な陳列装置（１，２０１）であって、第１壁板（１１）、第２壁板（１２）、第３壁板（１３）と、前記第１壁板及び前記第２壁板を回転可能に接続する第１壁板−第２壁板ヒンジ部（Ｈ１１）と、前記第２壁板及び前記第３壁板を回転可能に接続する第２壁板−第３壁板ヒンジ部（Ｈ１２）と、前記第３壁板及び前記第１壁板を回転可能に接続する第３壁板−第１壁板ヒンジ部（Ｈ１３）と、前記第３壁板に設けられた第３壁板ヒンジ部（Ｈ１３ａ）と、棚板（３１）と、陳列状態において、前記棚板を支える棚支え部（４０）とを備え、平状態では、前記第２壁板及び前記第３壁板は、前記第２壁板−第３壁板ヒンジ部と、前記第３壁板ヒンジ部とによって回転することにより、Ｚ折りに折り畳まれた状態であり、左右方向において、Ｚ折りに折り畳まれた前記第２壁板及び前記第３壁板の全長（Ｌ１２＋Ｌ１３ａ−Ｌ１３ｂ）と、前記第１壁板の長さ（Ｌ１１）とが等しく、陳列状態では、前記第３壁板は、前記第３壁板ヒンジ部によって回転することにより平らに開き、前記第１壁板、前記第２壁板、前記第３壁板は、鉛直方向から見た状態で三角形の三辺を形成することにより、この陳列装置の三角柱状の壁部を形成すること、を特徴とする陳列装置である。
・第２の発明は、第１の発明の陳列装置において、左右方向において、前記第１壁板（１１）の長さをＬ１１、前記第２壁板（１２）の長さをＬ１２、前記第３壁板（１３）のうち第１壁板−第２壁板ヒンジ部（Ｈ１１）及び前記第３壁板ヒンジ部（Ｈ１３ａ）の間の長さをＬ１３ａ、前記第３壁板のうち前記第３壁板ヒンジ部（Ｈ１３ａ）及び前記第２壁板−第３壁板ヒンジ部（Ｈ１２）の間の長さをＬ１３ｂ、とした場合に、Ｌ１１＝Ｌ１２＋Ｌ１３ａ−Ｌ１３ｂが成り立つこと、を特徴とする陳列装置である。
・第３の発明は、第１又は第２の発明の陳列装置において、前記棚支え部（４０）は、前記第２壁板（１２）の一部及び前記第３壁板（１３）の一部が連続した部分を、内側に突出させた棚受け部（４１）を備えること、を特徴とする陳列装置である。
・第４の発明は、第１から第３のいずれかの発明の陳列装置において、前記第２壁板（１２）及び前記第３壁板（１３）をそれぞれ延長するように、前記第２壁板及び前記第３壁板に２つ折りヒンジ部（Ｈ２０）を介して接続された上第２壁板（２２）及び上第３壁板（２３）と、前記上第２壁板及び前記上第３壁板を回転可能に接続する上第２壁板−上第３壁板ヒンジ部（Ｈ２２）と、前記上第２壁板に設けられた上第２壁板ヒンジ部（Ｈ２２ａ）とを備え、平状態では、前記上第２壁板及び前記上第３壁板は、前記上第２壁板−上第３壁板ヒンジ部と、前記上第２壁板ヒンジ部とによって回転することにより、Ｚ折りに折り畳まれた状態であり、前記第２壁板及び前記第３壁板と、前記上第２壁板及び前記上第３壁板とは、平状態から前記２つ折りヒンジ部によって２つ折りに折り畳み可能であること、を特徴とする陳列装置である。
・第５の発明は、第４の発明の陳列装置において、鉛直方向において、前記第２壁板（１２）、前記第３壁板（１３）、前記上第２壁板（２２）、前記上第３壁板（２３）の長さは、等しいこと、を特徴とする陳列装置である。
・第６の発明は、第１から第５のいずれかの発明の陳列装置（２０１）を、鉛直方向に連続するように複数備える連続陳列装置（２００）であって、鉛直方向に隣合う前記陳列装置を２つ折り可能な装置間ヒンジ部（Ｈ２０１）を備えること、を特徴とする連続陳列装置である。
・第７の発明は、第１から第５のいずれかの発明の陳列装置に加工される板材（５０Ａ）であって、左右方向に連続するように設けられた前記第１壁板（１１）、前記第３壁板−第１壁板ヒンジ部（Ｈ１３）、前記第３壁板（１３）、前記第２壁板−第３壁板ヒンジ部（Ｈ１２）、前記第２壁板（１２）と、前記第１壁板に前記第１壁板−第２壁板ヒンジ部（Ｈ１１）で接続され前記第２壁板に接着可能、又は前記第２壁板に前記第１壁板−第２壁板ヒンジ部で接続され前記第１壁板に接着可能な接着片（５０ａ）とを備えること、を特徴とする陳列装置の板材である。
・第８の発明は、第１から第５のいずれかの発明の陳列装置に加工される板材であって、左右方向に連続するように設けられた前記第１壁板（１１）、前記第１壁板−第２壁板ヒンジ部（Ｈ１１）、前記第２壁板（１２）、前記第２壁板−第３壁板ヒンジ部（Ｈ１２）、前記第３壁板（１３）と、前記第１壁板に前記第３壁板−第１壁板ヒンジ部（Ｈ１３）で接続され前記第３壁板に接着可能、又は前記第３壁板に前記第３壁板−第１壁板ヒンジ部で接続され前記第１壁板に接着可能な接着片（５０ｂ）とを備えること、を特徴とする陳列装置の板材である。
【発明の効果】
【０００７】
本発明によれば、設置場所の自由度を向上した陳列装置、連続陳列装置、陳列装置の板材を提供できる。
【図面の簡単な説明】
【０００８】
【図１】第１実施形態の陳列状態の陳列装置１を手前側Ｙ１、奥側Ｙ２から見た斜視図である。
【図２】第１実施形態の陳列装置１を左右方向Ｘから見た断面図である。
【図３】第１実施形態の陳列装置１の陳列状態及び平状態の間で変形途中を手前側Ｙ１、奥側Ｙ２から見た斜視図である。
【図４】第１実施形態の平状態の陳列装置１を手前側Ｙ１、奥側Ｙ２から見た斜視図である。
【図５】第１実施形態の２つ折り状態の陳列装置１を手前側Ｙ１、奥側Ｙ２から見た斜視図である。
【図６】第１実施形態の陳列装置１が、陳列状態及び平状態の間で変形する態様を、下側Ｚ１から見て説明する断面図である。
【図７】第１実施形態の陳列装置１の折り状態を、鉛直方向Ｚ（下側Ｚ１）から見た断面図である。
【図８】第１実施形態の板材５０Ａの斜視図である。
【図９】第１実施形態のその他の形態の板材５０Ｂの斜視図である。
【図１０】第２実施形態の連続陳列装置２００を手前側Ｙ１から見た斜視図である。
【発明を実施するための形態】
【０００９】
（実施形態）
以下、図面等を参照して、本発明の実施形態について説明する。
（第１実施形態）
図１は、第１実施形態の陳列状態の陳列装置１を手前側Ｙ１、奥側Ｙ２から見た斜視図である。
図１（Ａ）は、棚板３１の後端部の一部を破断して図示した。
図２は、第１実施形態の陳列装置１を左右方向Ｘから見た断面図である。
図２（Ａ）は、陳列状態の断面図（図１（Ａ）の２Ａ−２Ａ断面図）である。
図２（Ｂ）は、陳列状態及び平状態の間で変形途中の断面図である。
図３は、第１実施形態の陳列装置１の陳列状態及び平状態の間で変形途中を手前側Ｙ１、奥側Ｙ２から見た斜視図である。
図４は、第１実施形態の平状態の陳列装置１を手前側Ｙ１、奥側Ｙ２から見た斜視図である。
図５は、第１実施形態の２つ折り状態の陳列装置１を手前側Ｙ１、奥側Ｙ２から見た斜視図である。
図６は、第１実施形態の陳列装置１が、陳列状態及び平状態の間で変形する態様を、下側Ｚ１から見て説明する断面図である。
図６（Ａ１）から図６（Ａ３）は、下部１０のヒンジ部Ｈ１２を通る断面（図１の６Ａ−６Ａ断面）が変形する態様を説明する図である。
図６（Ｂ１）から図６（Ｂ３）は、下部１０の棚受け部４１を通る断面（図１の６Ｂ−６Ｂ断面）が変形する態様を説明する図である。
図６（Ｃ１）から図６（Ｃ３）は、上部２０の断面（図１の６Ｃ−６Ｃ断面）が変形する態様を説明する図である。
図７は、第１実施形態の陳列装置１の折り状態を、鉛直方向Ｚ（下側Ｚ１）から見た断面図である。
図７（Ａ１）、図７（Ａ２）は、下部１０のヒンジ部Ｈ１２を通る断面図である。
図７（Ｂ）は、下部１０の棚受け部４１を通る断面図である。
図６、図７は、適宜、各板部を線で図示し、また、ヒンジ部を黒丸で図示した。
各板部の板厚は、適宜誇張して図示する。
【００１０】
実施形態、図面では、説明と理解を容易にするために、ＸＹＺ直交座標系を設けた。この座標系は、陳列状態の陳列装置１の左右方向Ｘ（左側Ｘ１、右側Ｘ２）、奥行方向Ｙ（手前側Ｙ１、奥側Ｙ２）、鉛直方向Ｚ（下側Ｚ１、上側Ｚ２）を表す。左右方向Ｘ、奥行方向Ｙは、水平方向の座標軸である。図１から図７は、第１壁板１１をＺＸ平面に平行に配置した状態を図示した。
【００１１】
陳列装置１は、例えば、商品の販売、販売促進の際に、店舗に設置される。陳列装置１には、商品、販売促進品等が陳列される。
陳列装置１は、陳列状態（図１の状態）、折り畳み状態（図４の状態）、２つ折り状態（図５の状態）の間で変形できる。陳列状態は、店舗で使用するために陳列装置１を立体的に組み立てた状態であり、一方、折り畳み状態及び２つ折り状態は、保管、輸送等のために陳列装置１を折り畳んだ状態である。
【００１２】
陳列装置１は、例えば、それぞれ、ケント紙、段ボール材等により形成される。
陳列装置１は、複数の板状の部分である板部を有する。隣合う板部間は、ヒンジ部Ｈ１１，Ｈ１２，Ｈ１３，Ｈ１３ａ，Ｈ２０，Ｈ２２，Ｈ２２ａ，Ｈ３１，Ｈ４１ａ，Ｈ４１ｂ，Ｈ４１ｃによって回転可能に接続される。これらのヒンジ部は、例えば、ケント紙等に設けられた押罫、ミシン目、スリット等によって形成される。これらの押罫等は、適宜二点鎖線で図示した。
陳列状態（図１参照）及び平状態（図４参照）の間の状態において、ヒンジ部Ｈ１１，Ｈ１２，Ｈ１３，Ｈ１３ａ，Ｈ２２，Ｈ２２ａ，Ｈ４１ａ，Ｈ４１ｂ，Ｈ４１ｃの回転軸は、鉛直方向Ｚに平行である。平状態（図４参照）及び２つ折り状態（図５参照）の間において、ヒンジ部Ｈ２０の回転軸は、左右方向Ｘに平行である。ヒンジ部Ｈ３１の回転軸は、常に、左右方向Ｘに平行である。
【００１３】
［陳列装置１の構成］
陳列装置１の構成について説明する。構成の説明では、各部材の方向等は、陳列状態の態様を説明する。
図１に示すように、陳列装置１は、下部１０、上部２０、棚部３０、棚支え部４０を備える。
【００１４】
（下部１０）
下部１０は、陳列装置１の下半分を構成する部分である。
図１、図６（Ａ１）に示すように、下部１０は、第１壁板１１、第２壁板１２、第３壁板１３を備える。
第１壁板１１及び第２壁板１２間は、ヒンジ部Ｈ１１（第１壁板−第２壁板ヒンジ部）によって接続されている。第２壁板１２及び第３壁板１３間は、ヒンジ部Ｈ１２（第２壁板−第３壁板ヒンジ部）によって接続されている。第３壁板１３及び第１壁板１１間は、ヒンジ部Ｈ１３（第３壁板−第１壁板ヒンジ部）によって接続されている。
陳列状態を鉛直方向Ｚから見ると、第１壁板１１、第２壁板１２、第３壁板１３は、直角二等辺三角形の各辺を形成する。つまり、第２壁板１２、第３壁板１３の長さが等しく、また、これらがなす角が直角である。
【００１５】
第１壁板１１は、陳列装置１の前壁を構成する。第２壁板１２、第３壁板１３は、第１壁板１１よりも奥側Ｙ２に配置されており、陳列装置１の奥側Ｙ２の壁部を構成する。
鉛直方向Ｚにおいて、第１壁板１１、第２壁板１２、第３壁板１３の長さは、等しい。また、第１壁板１１、第２壁板１２、第３壁板１３の下端の位置は、等しい。
【００１６】
第１壁板１１は、切り欠き１１ａを有する。
切り欠き１１ａは、第１壁板１１の下側Ｚ１を大きく切り欠いた部分である。切り欠き１１ａは、陳列装置１の軽量化や、下部１０の空間を陳列に利用できる効果等を奏する。
また、第１壁板１１の上部２０には、落下防止部３２が設けられている。落下防止部３２は、第１壁板１１を上側Ｚ２に延長したような形態である。後述するように、落下防止部３２は、棚部３０の手前側Ｙ１に商品等が落下しないように抑制する。なお、実施形態では、落下防止部３２は、第１壁板１１に含まない概念で説明する。
【００１７】
第３壁板１３は、ヒンジ部Ｈ１３ａ（第３壁板ヒンジ部）を備える。
後述するように、ヒンジ部Ｈ１３ａは、第３壁板１３自体を折るためのものである。一方、第１壁板１１、第２壁板１２には、このようなヒンジ部は設けられていない。このため、第１壁板１１、第２壁板１２自体が、折られることはない。
【００１８】
（上部２０）
上部２０は、陳列装置１の上半分を構成する部分である。
図１、図６（Ｃ１）に示すように、上部２０は、上第２壁板２２、上第３壁板２３、吊るし孔２５を備える。
上第２壁板２２、上第３壁板２３は、それぞれ、第２壁板１２、第３壁板１３を、上側Ｚ２に延長したような形態である。上第２壁板２２及び上第３壁板２３間は、ヒンジ部Ｈ２２（上第２壁板−上第３壁板ヒンジ部）によって接続されている。ヒンジ部Ｈ２２と、前述したヒンジ部Ｈ１２とは、陳列状態及び平状態の間の状態では同軸である。上第２壁板２２、上第３壁板２３は、ヒンジ部Ｈ２０（２つ折りヒンジ部）を介して、第２壁板１２、第３壁板１３に接続されている。
【００１９】
上第２壁板２２は、ヒンジ部Ｈ２２ａ（上第２壁板ヒンジ部）を備える。
後述するように、ヒンジ部Ｈ２２ａは、上第２壁板２２自体を折るためのものである。一方、上第３壁板２３には、このようなヒンジ部は設けられていない。このため、上第３壁板２３自体が、折られることはない。
【００２０】
吊るし孔２５は、吊るし紐２６を通す貫通孔である。
吊るし孔２５は、上第２壁板２２、上第３壁板２３にそれぞれ設けられている。
吊るし紐２６は、店舗の壁や棚等のフック（図示せず）等に引っ掛けられる。なお、吊るし紐２６は、図１のみ図示し、他の図では図示を省略した。
【００２１】
（棚部３０）
図１、図２、図３に示すように、棚部３０は、棚板３１、落下防止部３２を備える。
棚板３１は、商品等を実際に載置する板部である。棚板３１は、前述した各壁板１１，１２，１３によって形成される直角二等辺三角形内に丁度収まる。但し、棚板３１の奥側Ｙ２は、作業者が指を入れやすいにように、切り欠き３１ａを有する。このため、棚板３１の形状は、等脚台形である。
棚板３１は、第１壁板１１の上端部に、ヒンジ部Ｈ３１によって回転可能に接続される。
【００２２】
棚板３１は、保持突起３１ｂを備える。
保持突起３１ｂは、等脚台形の２つの等辺部から外側に突出するように設けられている。
落下防止部３２は、第１壁板１１を上側Ｚ２に延長した部分である。鉛直方向Ｚにおいて、落下防止部３２の長さは、棚板３１上に陳列された商品等が、手前側Ｙ１に落下しないように抑制できればよい程度（例えば１０ｍｍ程度）である。
図２に示すように、落下防止部３２は、板部３２ａ，３２ｂが２枚重ねられている。このうち手前側Ｙ１の板部３２ａと、第１壁板１１とは、連続した板部であるため、これらの間には、ヒンジ部が設けられていない。つまり、第１壁板１１及び手前側Ｙ１の板部３２ａの間は、折り目がなく連続している。このため、落下防止部３２及び第１壁板１１間は、回転することはない。
【００２３】
（棚支え部４０）
棚支え部４０は、陳列状態において、棚板３１を支持する部分である。
棚支え部４０は、棚受け部４１（突出部）、保持孔４２を備える。
棚受け部４１は、第２壁板１２、第３壁板１３のうち、切り込み４１ａ，４１ｂ、ヒンジ部Ｈ４１ａ，Ｈ４１ｂに囲まれる長方形の部分（図８参照）を、ヒンジ部Ｈ４１ａ，Ｈ４１ｂ，Ｈ４１ｃによって、内側に突出するように起こすことにより形成される。
切り込み４１ａは、第２壁板１２、ヒンジ部Ｈ１２、第３壁板１３を左右方向Ｘに渡って連続している。
切り込み４１ｂは、第２壁板１２及び上第２壁板２２間の後部を切断し、また、第３壁板１３及び上第３壁板２３間の後部を切断し、これらの切断部を連続した形状である（図８参照）。
左右方向Ｘにおいて、ヒンジ部Ｈ４１ａ，Ｈ１３ａの位置は、一致しており、また、ヒンジ部Ｈ４１ｂ，Ｈ２２ａの位置は、一致している。このため、ヒンジ部Ｈ４１ａ，Ｈ１３ａは、同時に加工でき、また、ヒンジ部Ｈ４１ｂ，Ｈ２２ａは、同時に加工できる。
さらに、ヒンジ部Ｈ４１ｃ，Ｈ１２，Ｈ２２の位置は、一致している。このため、ヒンジ部Ｈ４１ｃ，Ｈ１２，Ｈ２２は、同時に加工できる。
【００２４】
保持孔４２は、ヒンジ部Ｈ２０上に設けられた細長い孔である。保持孔４２は、ヒンジ部Ｈ２０の一部を構成する。保持孔４２は、棚板３１の保持突起３１ｂが挿入されることにより、棚板３１がヒンジ部Ｈ３１で回転しないように、棚板３１を保持する。
【００２５】
［陳列装置１の３つの状態］
（陳列状態）
図１、図６（Ａ１）に示すように、陳列状態の陳列装置１を鉛直方向Ｚから見ると、下部１０の第１壁板１１、第２壁板１２、第３壁板１３は、直角二等辺三角形の三辺を形成する。第３壁板１３は、ヒンジ部Ｈ１３ａで折られることはなく、平らな状態である。
このため、下部１０の形状は、三角柱状であり、また、切り欠き１１ａによって手前側Ｙ１に開口を有する。
【００２６】
上第２壁板２２及び第２壁板１２は、ヒンジ部Ｈ２０で折られていない状態であり、かつ、上第２壁板２２はヒンジ部Ｈ２２ａで折られていない状態である。このため、上第２壁板２２及び第２壁板１２は、連続した鉛直面の壁部を形成する。同様に、上第３壁板２３及び第３壁板１３は、連続した鉛直面の壁部を形成する。
これらの壁部は、ヒンジ部Ｈ２０の部分が棚板３１に当接する。このため、第２壁板１２及び上第２壁板２２は、内側への撓みが抑制される。同様に、第３壁板１３及び上第３壁板２３は、内側への撓みが抑制される。さらに、これら２つの壁部は、ヒンジ部Ｈ１３ａ、ヒンジ部Ｈ２２ａでの折り曲げ等が抑制されるので、外観の見た目がよい。
【００２７】
棚部３０の棚板３１は、ＸＹ平面（水平面）に平行に配置される。保持突起３１ｂは、保持孔４２に挿入され、また、棚板３１の奥部下面は、棚受け部４１に当接する。
これにより、棚板３１は、ヒンジ部Ｈ３１回りに回転しないように保持される。また、棚板３１上に載置された商品等の荷重は、主に棚受け部４１が受けることができる。
また、ヒンジ部Ｈ１３ａは、第３壁板１３に配置されており、一方、ヒンジ部Ｈ２２ａは、上第２壁板２２に配置されている。つまり、ヒンジ部Ｈ１３ａ及びヒンジ部Ｈ２２ａは、一直線状に配置されていない。これにより、陳列時において、壁板の強度の低下を防ぐことができる。例えば、第３壁板１３及び上第３壁板２３によって形成される壁板に側面等から力が加わっても、上第３壁板２３にはヒンジ部が設けられていないので、この壁板の全体は、折れ曲がることを抑制できる。
さらに、棚板３１の手前側Ｙ１には、落下防止部３２が配置され、また、奥側Ｙ２には、上第２壁板２２、上第３壁板２３が配置される。このため、棚板３１の全周が板部で囲まれる。これにより、棚板３１上に載置された商品等は、棚板３１から落下することが抑制される。
【００２８】
陳列状態の陳列装置１は、第１壁板１１、第２壁板１２、第３壁板１３の下端の位置が等しいので接地面に自立でき、又は吊るし紐２６を使って店舗の壁等に引っ掛けることができる。このように、店舗等は、適宜、陳列装置１の設置方法を選択できる。
陳列装置１を店舗コーナ部に設置する場合には、陳列装置１の手前側Ｙ１を店舗内側に向け、かつ、第２壁板１２、第３壁板１３を店舗コーナ部の壁側に配置する。この場合、第２壁板１２、第３壁板１３が店舗コーナ部の壁に平行に配置され、かつ、落下防止部３２の高さが十分に低いので、棚板３１に載置された商品等を遮るものがほとんどない。このため、陳列装置１は、商品等を来店者等に見えやすいように陳列できる。
【００２９】
（平状態）
図３、図４、図６（Ａ３）に示すように、平状態の下部１０の形態は、第２壁板１２及び第３壁板１３が、ヒンジ部Ｈ１２で閉じるように回転された状態である。また、第３壁板１３自体が、ヒンジ部Ｈ１３ａで折られた状態である。このため、第２壁板１２及び第３壁板１３は、全体としてＺ折りにされることにより、平らに折り畳まれる。
【００３０】
図６（Ｃ３）に示すように、同様に、平状態の上部２０の形態は、上第２壁板２２及び上第３壁板２３が、ヒンジ部Ｈ２２で閉じるように回転された状態である。また、上第２壁板２２自体が、ヒンジ部Ｈ２２ａで折られた状態である。このため、上第２壁板２２及び上第３壁板２３は、全体としてＺ折りにされることにより、平らに折り畳まれる。
【００３１】
なお、陳列装置１が陳列状態及び平状態の間で変形する場合において、第２壁板１２及び上第２壁板２２は、連続しているので一体で回転する。同様に、第３壁板１３及び上第３壁板２３は、一体で回転する。このため、陳列装置１が陳列状態及び平状態の間で変形する作業は、容易である。
【００３２】
平状態では、左右方向Ｘにおいて、第２壁板１２及び第３壁板１３の全長（後述する「Ｌ１２＋（Ｌ１３ａ−Ｌ１３ｂ）」）と、第１壁板１１の長さ（後述する「Ｌ１１」）とが等しい。同様に、左右方向Ｘにおいて、上第２壁板２２及び上第３壁板２３の全長（後述する「（Ｌ２２ａ−Ｌ２２ｂ）＋Ｌ２３」）と、第１壁板１１の長さとが等しい。このため、陳列装置１の左右方向Ｘの長さは、第１壁板１１の長さとなる。
これにより、平状態の外形は、平らな板状である。また、鉛直方向Ｚの長さは、下部１０及び上部２０の和であり、左右方向Ｘの長さは、第１壁板１１の長さである。
【００３３】
（２つ折り状態）
図５に示すように、２つ折り状態では、鉛直方向Ｚにおいて、下部１０（第２壁板１２及び第３壁板１３）の長さと、上部２０（上第２壁板２２及び上第３壁板２３）の長さとは、等しい。つまり、手前側Ｙ１からみると、下部１０の外形と、上部２０の外形とは等しい。このため、平状態の下部１０及び上部２０は、ヒンジ部Ｈ２０で回転することにより、平状態から丁度重なる状態（つまり２つ折り状態）へと、折り畳み可能である。
落下防止部３２は、第１壁板１１に対して回転しないので、第１壁板１１及び落下防止部３２は、同一平面上に配置される。
このため、陳列装置１の鉛直方向Ｚの外形は、第１壁板１１の長さと、落下防止部３２の長さとの和となる。但し、落下防止部３２の長さは、十分に小さい。
そのため、陳列装置１の左右方向Ｘ、鉛直方向Ｚの外形は、第１壁板１１の外形にほぼ等しい。
【００３４】
なお、棚板３１は、ヒンジ部Ｈ３１で奥側Ｙ２に回転されることにより、Ｚ折りに折り畳まれた上部２０（上第２壁板２２及び上第３壁板２３）に重なるように配置される。
このように、陳列装置１は、平状態から２つ折りにし、棚板３１を回転することにより、コンパクトに折り畳むことができる。
【００３５】
［寸法設定］
陳列装置１の寸法設定について説明しながら、平状態及び２つ折り状態の厚さ等について説明する。
陳列装置１の各板部の寸法設定は、以下の通りである。ここでは、主に鉛直方向Ｚ（下側Ｚ１）から見た場合（つまりＸＹ平面視）の寸法設定について説明する。
【００３６】
（図６（Ａ１）〜図６（Ａ３）：下部１０のうちヒンジ部Ｈ１３ａを通る部分）
図６（Ａ１）に示すように、陳列状態において、下部１０の各壁板１１，１２，１３は、直角二等辺三角の各辺を形成する。このため、以下が成り立つ。
Ｌ１１／（√２）＝Ｌ１２＝Ｌ１３（＝Ｌ１３ａ＋Ｌ１３ｂ）
Ｌ１１：第１壁板１１の長さ
Ｌ１２：第２壁板１２の長さ
Ｌ１３：第３壁板１３の長さ
Ｌ１３ａ：第３壁板１３のうちヒンジ部Ｈ１３ａよりも外側の部分（ヒンジ部Ｈ１１及びヒンジ部Ｈ１３ａ間の部分）の長さ
Ｌ１３ｂ：第３壁板１３のうちヒンジ部Ｈ１３ａよりも内側の部分（ヒンジ部Ｈ１３ａ及びヒンジ部Ｈ１２間の部分）の長さ
【００３７】
図６（Ａ３）に示すように、折り畳み状態において、Ｚ折りに折られた状態の第２壁板１２及び第３壁板１３の全長と、第１壁板１１の長さＬ１１とが等しい。このため、以下が成り立つ。
Ｌ１１＝Ｌ１２＋（Ｌ１３ａ−Ｌ１３ｂ）
【００３８】
（図６（Ｃ１）〜図６（Ｃ３）：上部２０）
図６（Ｃ１）に示すように、同様に、陳列状態において、上部２０の各壁板２２，２３と、下部１０の第１壁板１１とは、直角二等辺三角の各辺を形成する。このため、以下が成り立つ。
Ｌ１１／（√２）＝Ｌ２２（＝Ｌ２２ａ＋Ｌ２２ｂ）＝Ｌ２３
Ｌ１２＝Ｌ１３＝Ｌ２２＝Ｌ２３
Ｌ２２：上第２壁板２２の長さ
Ｌ２２ａ：上第２壁板２２のうちヒンジ部Ｈ２２ａよりも外側の部分の長さ
Ｌ２２ｂ：上第２壁板２２のうちヒンジ部Ｈ２２ａよりも内側の部分の長さ
Ｌ２３：上第３壁板２３の長さ
【００３９】
図６（Ｃ３）に示すように、折り畳み状態において、Ｚ折りに折られた状態の上第２壁板２２及び上第３壁板２３の全長と、第１壁板１１の長さＬ１１とが等しい。このため、以下が成り立つ。
Ｌ１１＝（Ｌ２２ａ−Ｌ２２ｂ）＋Ｌ２３
【００４０】
（下部１０のうち棚受け部４１を通る部分）
図６（Ａ３）、図６（Ｂ３）、図６（Ｃ３）の平状態において、以下が成り立つ。
Ｌ４１ａ＝Ｌ１３ａ＝Ｌ２２ａ
Ｌ４１ｂ＝Ｌ４１ｃ＝Ｌ１３ｂ＝Ｌ２２ｂ
Ｌ４１ａ：第３壁板１３のうちヒンジ部Ｈ４１ａよりも外側の部分（ヒンジ部Ｈ１１及びヒンジ部Ｈ４１ａ間の部分）の長さ
Ｌ４１ｂ：棚受け部４１の左半分（ヒンジ部Ｈ４１ａ及びヒンジ部Ｈ４１ｃ間の部分）の長さ
Ｌ４１ｃ：棚受け部４１の右半分（ヒンジ部Ｈ４１ｃ及びヒンジ部Ｈ４１ｂ間の部分）の長さ
【００４１】
（平状態の下部１０の厚さ）
また、図６（Ａ３）、図６（Ｂ３）では、板部が重なる数は、左右方向Ｘの位置において、同一である。
例えば、図６（Ａ３）では、長さＬ１３ｂの位置において、４つの板部が重なっており、同様に、図６（Ｂ３）では、長さＬ４１ｂの位置において、４つの板部が重なっている。
このため、平状態において、下部１０は、左右の位置における厚さの分布が同じになるので、取り扱いが容易である。
【００４２】
（平状態の下部１０、上部２０の厚さの関係）
図６（Ａ３）、図６（Ｃ３）に示すように、上部２０は、第１壁板１１を備えないので、上部２０の板部が重なる数は、下部１０よりも１つ少ない。但し、これらの板部が重なる数は、左右対称の形態から、１つ異なるのみである。さらに、前述したように、「Ｌ１３ｂ＝Ｌ２２ｂ」が成り立つ。
従って、平状態において、下部１０、上部２０の厚さが変化する態様は、左右対称になる。
【００４３】
例えば、図６（Ａ３）では、前述したように、長さＬ１３ｂの位置において、４つの板部が重なっているので、最も厚い。一方、図６（Ｃ３）では、この長さＬ１３ｂに左右対称である長さＬ２２ｂの位置において、３つの板部が重なっており、最も厚い。
この関係は、図６（Ｂ３）の下部１０の断面図、図６（Ｃ３）の上部２０の断面図の間においても、成り立つ。「Ｌ４１ｂ＝Ｌ２２ｂ」が成り立つためである。
【００４４】
（２つ折り状態の厚さ）
前述したように、図６（Ａ３）の下部１０、図６（Ｃ３）の上部２０は、厚さが変化する態様は、左右対称になる。
図７（Ａ１）に示すように、このため、２つ折り状態において、左右の位置における厚さの分布は、均等になる。例えば、最も厚い部分である長さＬ１３ｂ、長さＬ２２ｂの範囲では、平状態から１つ多い５つの板部が重なっている。
このため、陳列装置１の厚さは、２つ折り状態及び平状態の間で、極端に変化しない。そのため、２つ折り状態でも十分に薄い。
なお、図７（Ａ２）に示すように、実際の保管時等には、厚さ方向から押さえられることにより、板部が撓んで、厚さがより薄くなる。
この関係は、図７（Ｂ）に示す断面図においても、成り立つ。例えば、図７（Ｂ）の最も厚い部分である長さＬ４１ｂ、長さＬ２２ｂの範囲は、上記同様に、平状態から１つ多い５つの板部が重なっている。
【００４５】
さらに、図７（Ａ１）の断面図と、図７（Ｂ）に示す断面図とにおいて、左右の位置における厚さの分布は、同じである。
すなわち、図７（Ａ１）の長さ「Ｌ１３ｂ＋Ｌ２２ｂ」と、図７（Ｂ）の長さ「Ｌ４１ｂ＋Ｌ２２ｂ」とは、等しい。
Ｌ１３ｂ＋Ｌ２２ｂ＝Ｌ４１ｂ＋Ｌ２２ｂ
また、両者は、どの位置であっても、５つの板部が重なっている。
このため、陳列装置１は、２つ折り状態においても、左右の位置における厚さの分布が同じになるので、取り扱いが容易である。
【００４６】
［変形動作］
２つ折り状態及び陳列状態の間の変形動作について説明する。
（２つ折り状態から陳列状態への変形）
陳列装置１は、通常は、２つ折り状態で店舗に納入され、店舗の作業者（店員等）が、２つ折り状態から陳列状態へ変形する作業を行う。
この場合、作業者は、以下のように作業すればよい。なお、以下の工程は、一例であり、最終的に陳列状態へと変形できれば、適宜、作業方法、順番等を変更してもよい。
（１）図４、図５に示すように、２つ折り状態の下部１０、上部２０をヒンジ部Ｈ２０で回転することにより、平状態に変形する。この場合、棚板３１もヒンジ部Ｈ３１で、回転させる。
（２）図１、図２、図４に示すように、第１壁板１１、第２壁板１２、第３壁板１３を、直角二等辺三角形の各辺を形成するまで、ヒンジ部Ｈ１１，Ｈ１２，Ｈ１３，Ｈ１３ａで回転させる。
これに応じて、上第２壁板２２及び上第３壁板２３は、第２壁板１２及び第３壁板１３と一緒に、ヒンジ部Ｈ２２，Ｈ２２ａで回転する。
また、棚受け部４１は、内側に突出する。
（３）図１、図２に示すように、棚板３１を水平になるまで、ヒンジ部Ｈ３１回りに回転する。また、保持突起３１ｂを、保持孔４２に挿入する。
以上により、陳列装置１を２つ折り状態から平状態を経て陳列状態へ変形できる。
【００４７】
（陳列状態から２つ折り状態への変形）
陳列状態から２つ折り状態への変形は、上記（１）から（３）とは、逆の工程に従えばよい。
このように、陳列装置１を変形する作業は、容易である。
【００４８】
［板材の構成］
図８は、第１実施形態の板材５０Ａの斜視図である。
板材５０Ａは、陳列装置１に加工される部材である。
板材５０Ａは、１枚の紙材から形成される。板材５０Ａは、陳列装置１のヒンジ部Ｈ１１の部分を切断し、左右方向Ｘに展開したような形態である。なお、図８は、ヒンジ部等の形状を明確にするために、一部の板部間が回転した状態を図示する。
板材５０Ａは、第１部分５１、第３部分５３、第２部分５２が左側Ｘ１から右側Ｘ２にこの順に接続されている。
第１部分５１は、第１壁板１１、落下防止部３２、棚板３１、接着片５１ａを備える。
接着片５１ａは、第１壁板１１にヒンジ部Ｈ１１で接続される。
第３部分５３は、第３壁板１３、上第３壁板２３を備える。
第２部分５２は、第２壁板１２、上第２壁板２２を備える。
上記形状により、板材５０Ａは、第１壁板１１、ヒンジ部Ｈ１３、第３壁板１３、ヒンジ部Ｈ１２、第２壁板１２が左右方向Ｘに連続している。
【００４９】
板材５０Ａを陳列装置１に組み立てる場合には、接着片５１ａを第３壁板１３に接着し（矢印Ａ５０参照）、また、落下防止部３２を折部で折って２枚重ねに接着すればよい（矢印Ａ５１参照）。
【００５０】
なお、接着片５１ａは、第１壁板１１ではなく第２壁板１２の右縁部に、ヒンジ部Ｈ１１によって接続してもよい。この場合には、接着片５１ａを第１壁板１１に接着することにより、陳列装置１に組み立てることができる。
【００５１】
図９は、第１実施形態のその他の形態の板材５０Ｂの斜視図である。
陳列装置１は、板材５０Ｂを用いても組み立てることができる。
板材５０Ｂは、第３部分５３、第２部分５２、第１部分５１が左側Ｘ１から右側Ｘ２に順に接続されている。各部分の形態は、板材５０Ｂと同様である。
第１部分５１は、第２壁板１２の右縁部に、ヒンジ部Ｈ１１によって接続されている。また、接着片５１ｂは、第１部分５１の右辺部に、ヒンジ部Ｈ１３によって接続されている。
上記形状により、板材５０Ｂは、第１壁板１１、ヒンジ部Ｈ１１、第２壁板１２、ヒンジ部Ｈ１２、第３壁板１３が左右方向Ｘに連続している。
【００５２】
板材５０Ｂは、接着片５１ｂを第３壁板１３に接着し（矢印Ａ５２参照）、また、落下防止部３２を折部で折って２枚重ねに接着することにより（矢印Ａ５３参照）、陳列装置１に組み立てることができる。
なお、接着片５１ｂは、第１壁板１１ではなく第３壁板１３の左縁部に、ヒンジ部Ｈ１３によって接続してもよい。この場合には、接着片５１ｂを第１壁板１１に接着することにより、陳列装置１に組み立てることができる。
【００５３】
このように、板材５０Ａ又は板材５０Ｂは、１枚の紙材によって形成できるので、低コストである。また、板材５０Ａ又は板材５０Ｂの接着箇所は、２箇のみであるので、陳列装置１は、組み立てが容易である。
【００５４】
以上説明したように、本実施形態の陳列装置１は、輸送時には小型に折り畳みができ、また、陳列時には陳列状態に容易に変形できる。また、店舗コーナ部等にも設置できるので、設置場所の自由度を向上できる。さらに、また、陳列装置１は、低コストで製造できる。
【００５５】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図１０は、第２実施形態の連続陳列装置２００を手前側Ｙ１から見た斜視図である。
図１０（Ａ）は、連続陳列装置２００が陳列状態である。
図１０（Ｂ）は、連続陳列装置２００が折り畳み状態である。
図１０（Ｃ）は、連続陳列装置２００が２つ折り状態である。
【００５６】
図１０（Ａ）、図１０（Ｂ）に示すように、連続陳列装置２００は、第１実施形態と同様な３つの陳列装置２０１を、鉛直方向Ｚに連続させたものである。鉛直方向Ｚに隣合う陳列装置２０１の間は、装置間ヒンジ部Ｈ２０１で接続されている。
図１０（Ａ）、図１０（Ｂ）に示すように、装置間ヒンジ部Ｈ２０１は、上側Ｚ２の陳列装置２０１の第２壁板１２及び第３壁板１３と、下側Ｚ１の陳列装置２０１の上第２壁板２２及び上第３壁板２３との間に、設けられている。
【００５７】
装置間ヒンジ部Ｈ２０１は、ケント紙に設けられた押罫、ミシン目、スリット等によって形成される。このため、連続陳列装置２００は、第１実施形態と同様に、１つの板材により製造できる。
つまり、連続陳列装置２００を製造するための板材は、板材５０Ａ又は板材５０Ｂ（図８、図９参照）を鉛直方向Ｚに延長し、かつ、装置間ヒンジ部Ｈ２０１を設けたものを用いることができる。
【００５８】
図１０（Ａ）、図１０（Ｂ）に示すように、連続陳列装置２００は、３つの陳列装置２０１が連動して変形することにより、第１実施形態と同様に、陳列状態及び折り畳み状態の間で変形できる。
図１０（Ｂ）、図１０（Ｃ）に示すように、各陳列装置２０１は、第１実施形態と同様に、２つ折り状態に変形する。さらに、鉛直方向Ｚに隣合う陳列装置２０１は、装置間ヒンジ部Ｈ２０１で、２つ折りに変形できる。
【００５９】
このように、連続陳列装置２００は、複数の陳列装置２０１を連続させた形態であっても、蛇腹状に折り畳むことにより、コンパクトに折り畳むことができる。
なお、本実施形態では、連続陳列装置２００は、３つの陳列装置２０１を連続させた例を示したが、２つの陳列装置２０１、又は４つ以上の陳列装置２０１を連続させてもよい。
【００６０】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６１】
（変形形態）
実施形態において、棚支持部は、棚受け部、保持突起、保持孔を備える例を示したが、これに限定されない。棚支持部は、棚板を水平に保持できれば、その形態は、限定されない。棚支持部は、例えば、棚支持部と、第１壁板及び第２壁板間との間を接合する面ファスナ等でもよい。
【符号の説明】
【００６２】
１，２０１…陳列装置
１０…下部
１１…第１壁板
１２…第２壁板
１３…第３壁板
２０…上部
２２…上第２壁板
２３…上第３壁板
３１…棚板
３１ｂ…保持突起
３２…落下防止部
３２ａ，３２ｂ…板部
４１…棚受け部
４１ａ，４１ｂ…切り込み
４２…保持孔
５０Ａ，５０Ｂ…板材
５１…第１部分
５１ａ，５１ｂ…接着片
５２…第２部分
５３…第３部分
２００…連続陳列装置
Ｈ１１，Ｈ１２，Ｈ１３，Ｈ１３ａ，Ｈ２０，Ｈ２２，Ｈ２２ａ，Ｈ３１，Ｈ４１ａ，Ｈ４１ｂ，Ｈ４１ｃ…ヒンジ部
Ｈ２０１…装置間ヒンジ
【図１】
0006672709.tif 000002
【図２】
0006672709.tif 000003
【図３】
0006672709.tif 000004
【図４】
0006672709.tif 000005
【図５】
0006672709.tif 000006
【図６】
0006672709.tif 000007
【図７】
0006672709.tif 000008
【図８】
0006672709.tif 000009
【図９】
0006672709.tif 000010
【図１０】
0006672709.tif 000011